(57)【特許請求の範囲】
【請求項１】
二枚の平行なシート間に一つの方向に沿って延びそれら両シートを連結する多数のリブを設け該両シート間に該各リブにより多数の空洞部が列状に区画形成される硬質の弾力性を備えたプラスチック製段ボール板を前記各リブが周方向と直交するようにして湾曲させることにより形成される筒状体からなり、
前記筒状体における内側のシートには、その周方向に沿い所定間隔離して位置する各空洞部に対応してそれら長手方向に沿って窪む凹窪溝が設けられ、
前記凹窪溝に沿って屈曲させ折り畳んだ状態で袋の中に挿入することにより、前記袋の中ではその弾性により拡開して該袋が拡張された状態で保持されるようにしたことを特徴とする袋への収納補助具。
【請求項２】
二枚の平行なシート間に一つの方向に沿って延びそれら両シートを連結する多数のリブを設け該両シート間に該各リブにより多数の空洞部が列状に区画形成される硬質の弾力性を備えたプラスチック製段ボール板を前記各リブが周方向と直交するようにして湾曲させることにより形成される筒状体からなり、
前記筒状体における内側又は外側のシートには、その周方向に沿い所定間隔離して位置する各空洞部に対応してそれら長手方向に沿って窪みかつその最深部位がこれと対向するシートに連結する凹窪溝が設けられ、
前記凹窪溝に沿って屈曲させ折り畳んだ状態で袋の中に挿入することにより、前記袋の中ではその弾性により拡開して該袋が拡張された状態で保持されるようにしたことを特徴とする袋への収納補助具。
【発明の詳細な説明】
【技術分野】
【０００１】
本発明は、各種用途の袋、例えばごみ袋へごみを収納し易くするための袋への収納補助具に関するものである。
【背景技術】
【０００２】
例えば、一般に市販されているごみ袋は、自治体によって大きさ，材質等が予め決められた合成樹脂製の薄いシートから成形されているが、小枝や木ぎれなどの先の尖ったものを収納すると、それらの先が突き刺さってごみ袋が破れ易いという問題があった。
【０００３】
そこで、例えば下記特許文献１に示すように、ごみ袋の中に弾性がありかつ丈夫で堅い性質を持つ薄板を挿入し膨張させてごみ袋の内面を覆うようにすることで、上記問題を解決し、小枝や木ぎれなど先の尖ったものを挿入する際にも、ごみ袋が破れることのないようにした樹木ごみ収納具が有る。また、下記特許文献２に示すように、ビニール袋内に入れて該ビニール袋内で拡げることによりビニール袋を自立可能にし、そのまま屑箱として使用できるようにした骨組が有る。
【０００４】
ところが、前記特許文献１の樹木ごみ収納具にあっては、ごみ袋を破れから保護することは可能であるが、弾性がありかつ堅い薄板をごみ袋内に挿入することは容易ではなく、一人で作業することは更に困難であるという問題が残る。また、前記特許文献２に開示された骨組にあっては、ごみ袋が前記のような破損から保護できないものであり、ごみ袋内から引き抜くことが難しい形態であったので、使い勝手が悪いという問題が残る。
【０００５】
これらの問題点を解決すべく、本出願人は引用文献３に示すように、略半円状に湾曲した硬質板からなる基体と、該基体に内接し両側縁が該基体の両側縁に屈曲自在に連接された可撓性板と、からなり、該基体をごみ袋中に挿入して可撓性板を外方に張り出させることにより、該基体および可撓性板がごみ袋の内面に接して該ごみ袋が拡張させられるようにした袋への収納補助具を発明した。
【先行技術文献】
【特許文献】
【０００６】
【特許文献１】特開２００５−２７６８０号公報
【特許文献２】特開２００１−３２８６１０号公報
【特許文献３】特許第３５８８７００号公報
【発明の概要】
【発明が解決しようとする課題】
【０００７】
しかしながら、前記特許文献３の袋への収納補助具にあっては、略半円状に湾曲した基体と、該基体の両側縁に屈曲自在に連接した可撓性板と、の二部材からなり、これらを連接して形成しているので、その形成が面倒であり、しかも、基体が嵩張って製造コストや輸送コストが高くつくばかりか、ごみ袋にも挿入し難く使いずらいといった改良すべき点が有った。
【０００８】
そこで、本発明は上記改良点に鑑みてなされたもので、構造や形成が簡単であり、自在に屈曲させコンパクトに折り畳めることから、製造コストや輸送コストが低廉になし得るばかりか、袋中にも簡単に挿入でき極めて使い勝手の良い袋への収納補助具を提供することを目的とするものである。
【課題を解決するための手段】
【０００９】
かかる目的を達成するため本発明に係る袋への収納補助具は、二枚の平行なシート間に一つの方向に沿って延びそれら両シートを連結する多数のリブを設け該両シート間に該各リブにより多数の空洞部が列状に区画形成される硬質の弾力性を備えたプラスチック製段ボール板を前記各リブが周方向と直交するようにして湾曲させることにより形成される筒状体からなり、前記筒状体における内側のシートには、その周方向に沿い所定間隔離して位置する各空洞部に対応してそれら長手方向に沿って窪む凹窪溝が設けられ、前記凹窪溝に沿って屈曲させ折り畳んだ状態で袋の中に挿入することにより、前記袋の中ではその弾性により拡開して該袋が拡張された状態で保持されるようにしたことを特徴とする。
【００１０】
また、本発明に係る袋への収納補助具は、二枚の平行なシート間に一つの方向に沿って延びそれら両シートを連結する多数のリブを設け該両シート間に該各リブにより多数の空洞部が列状に区画形成される硬質の弾力性を備えたプラスチック製段ボール板を前記各リブが周方向と直交するようにして湾曲させることにより形成される筒状体からなり、前記筒状体における内側又は外側のシートには、その周方向に沿い所定間隔離して位置する各空洞部に対応してそれら長手方向に沿って窪みかつその最深部位がこれと対向するシートに連結する凹窪溝が設けられ、前記凹窪溝に沿って屈曲させ折り畳んだ状態で袋の中に挿入することにより、前記袋の中ではその弾性により拡開して該袋が拡張された状態で保持されるようにしたことを特徴とする構成としても良い。
【発明の効果】
【００１１】
本発明に係る袋への収納補助具は、プラスチック製段ボール板から成形され構造や形成が簡単であり、凹窪溝に沿って屈曲させることによりコンパクトに折り畳め、嵩張ることがなく軽量であるので、輸送、保管時に便利であるばかりか製造コストや輸送コストを低廉になし得る。しかも、コンパクトに折り畳めることから、ゴミ袋等の袋中にも挿入し易く極めて使い勝手が良いという効果を奏する。
【００１２】
また、前記筒状体における内側又は外側のシートに、その周方向に沿い所定間隔離して位置する各空洞部に対応してそれら長手方向に沿って窪みかつその最深部位がこれと対向するシートに連結する凹窪溝を設けるようにすれば、該各凹窪溝の最深部位を支点にしてプラスチック製段ボール板が屈曲するので、該プラスチック製段ボール板がその最深部位を支点として内側または外側のいずれにも簡単に曲がる。よって、例えば長方形状に展開されたプラスチック製段ボール板から筒状体を形成する場合、内側・外側のどちらに曲げるか考慮しなくても良いから、組立作業が簡単に行なえる。
【図面の簡単な説明】
【００１３】
【図１】本実施の形態に係る袋への収納補助具の外観斜視図。
【図２】本実施の形態に係る袋への収納補助具の一部拡大斜視図。
【図３】本実施の形態に係る袋への収納補助具の使用状態を示す斜視図。
【図４】本実施の形態に係る袋への収納補助具の使用状態を示す斜視図。
【図５】本実施の形態に係る袋への収納補助具の使用状態を示す縦断面図。
【図６】他の実施の形態に係る袋への収納補助具の外観斜視図。
【図７】他の実施の形態に係る袋への収納補助具の外観斜視図。
【図８】他の実施の形態に係る袋への収納補助具の一部拡大斜視図。
【図９】（イ）は他の実施の形態に係るプラスチック製段ボール板の一部拡大端面図、（ロ）は該プラスチック製段ボール板を用いた袋への収納補助具の一部拡大斜視図。
【発明を実施するための最良の形態】
【００１４】
以下、本発明に係る袋への収納補助具（以下、単に「収納補助具」という。）を実施するための最良の形態を図面に基づき詳しく説明する。本発明は、例えば家庭で使用され薄い合成樹脂シートからなるごみ袋、台所の適宜位置に設置して調理で発生する生ごみを入れるごみ袋、大根・ごぼうといった野菜を収納する包装用袋等の廃棄用または包装用の袋について適用できる。袋の素材は主に合成樹脂であるが、他に例えば紙、布であっても良い。そこで、その一例として、家庭で使用される幅６５０ｍｍ、深さ７５０ｍｍ程の廃棄用の合成樹脂製のごみ袋について説明する。図１は本実施の形態に係る収納補助具の外観斜視図、図２は本実施の形態に係る収納補助具の一部拡大斜視図である。この収納補助具は、硬質かつ弾力性を備えたプラスチック製段ボール板１（一般に「プラダン」と称されている。）が使用され、該プラスチック製段ボール板１を長方形状にすると共にこれを湾曲し筒状に巻くことにより形成される。
【００１５】
更に詳しく説明するとプラスチック製段ボール板１は、二枚の平行なシート２，２間に一つの方向に沿って延びると共に両シート２，２を連結する多数のリブ３が設けられ、両シート２，２間に各リブ３により多数の空洞部４が列状に区画形成される構造からなる。通常は、はしごのような形状のダイ（図示せず。）を用い押出成型により成形される。材質としては、例えばポリプロピレン樹脂が使用されるが、他に、ポリ塩化ビニル樹脂またはポリエチレン樹脂であっても良い。前記シート２やリブ３の厚みは、例えば０．１ｍｍに設定され、隣り合うリブ３，３との間隔寸法は例えば３．０ｍｍ、プラスチック製段ボール板１の厚み寸法は例えば２．５ｍｍにそれぞれ設定される。該プラスチック製段ボール板１は、硬質でありかつ弾力性があることから、折り曲げても元の状態に復帰する。
【００１６】
前記プラスチック製段ボール板１の一側面、この場合は後記する筒状体６における内側のシート２（２ａ）に、その周方向に沿い所定間隔離して位置する各空洞部４ａに対応してそれら長手方向に沿って窪む凹窪溝７が設けられる。この場合は、各空洞部４すなわちリブ３と直交する方向であってその方向に沿って連続する３個の空洞部４，４，４を合わせた間隔寸法離して位置した各空洞部４ａに対応する内側のシート２（２ａ）にリブ３と平行な凹窪溝７が設けられる。これら凹窪溝７の最深部位７ａは、これと対向する外側のシート２ｂには当接して接触していない。このように凹窪溝７を設けるのは、該凹窪溝７でプラスチック製段ボール板１が該凹窪溝７を設けた側へ曲がり易くするためである。３個の空洞部４，４，４を合わせた間隔寸法離して凹窪溝７を設けたが、これに限定されるものではなく、例えば４個、５個、６個、７個、８個またはそれ以上の空洞部４の間隔寸法を離して凹窪溝７を設けても良く、本発明の目的が達成できる範囲で自在に設定できる。
【００１７】
そこで、長方形状のプラスチック製段ボール板１では、前記各リブ３が短手方向に沿って平行に配設されるようにしている。そして、長手方向の両端縁部１１ａ，１１ｂを重ね合わせ接続することにより、各リブ３が周方向と直交するように配置されかつ両端が開口５，５する筒状体６が形成される。各凹窪溝７は筒状体６の内周面６ａ側に来るようにしている。この場合、プラスチック製段ボール板１の接続される両端縁部１１ａ，１１ｂは、一方の端縁部１１ａの内周面６ａと他方の端縁部１１ｂの外周面６ｂとを一部重ね合わせると共に、３個の空洞部４，４，４が互いに重なるようにして接着剤により接着させる。これにより、前記筒状体６の内周面６ａ、すなわち、その周方向に沿って連続する３個の空洞部４，４，４を合わせた間隔寸法離して位置した各空洞部４ａに対応して内側のシート２（２ａ）に、その長手方向すなわちリブ３と平行な凹窪溝７が設けられる。該各凹窪溝７は、その長手方向に対し直交する断面形状がＶ溝状に形成される。前記筒状体６は、円筒形にした場合の外径寸法が前記ごみ袋９の挿入口１０の内径寸法よりも約１０〜３０ｍｍ短く設定される。８，８は、筒状体６の上端よりに開設された手掛用の透孔である。
【００１８】
このように構成した収納補助具は、図３に示すように薄い合成樹脂シートからなるごみ袋９に挿入する前に、所望の凹窪溝７に沿って屈曲させコンパクトに折り畳んだ状態とする。そして、該折り畳まれた収納補助具を挿入口１０を介してごみ袋９中に挿入する。ごみ袋９中で収納補助具を開放するように力を加えると、該収納補助具はその弾性により自然と拡開し、図４に示すように該ごみ袋９が拡張された状態で保持される。すなわち、この状態では、挿入口１０を開口したままごみ袋９が地面上に起立することになる。
【００１９】
そこで、図５に示すように自立するごみ袋９に挿入口１０からごみをごみ箱のように容易に投入することができ、小枝や木ぎれなどを投入しても、それらは収納補助具の筒状体６の内周面６ａに当たるだけであるので、ごみ袋９が破れるおそれはない。そして、たとえ尖ったごみであっても足で踏んで圧縮することで、嵩張らずに多量に収納することが可能となる。ごみで満杯になったところで透孔８，８に手を入れて収納補助具を持ち上げて引き抜けば、ごみ袋９は底部にそのごみの重みが掛かることから、簡単に抜き出すことができる。ごみ袋９内にはごみだけが残るので、後はそのごみ袋９の挿入口１０を普通に縛るだけで、そのままごみ収拾車等に出すことができる。なお、収納補助具は筒状体６がポリプロピレン樹脂でありかつ平坦であって滑り易いことから、軽摩擦でごみ袋９内から容易に抜き出すことができる。このため、この収納補助具を使うことにより、通常のごみ箱のようにごみをごみ袋に移し替える必要がなく、作業者に負担を掛けることなく簡単にごみ出しをすることができる。
【００２０】
図６乃至図９に示す収納補助具は、いずれも他の実施の形態に係るものである。そこで、これらは本実施の形態とその構成がほとんど同じなので、本実施の形態と同一部位は同一番号を附すことにより詳しい説明は省略する。図６に示す収納補助具は、前記長方形状のプラスチック製段ボール板１の長手方向に沿った両端縁部１１ａ，１１ｂを着脱自在に接続できるようにしたものである。すなわち、プラスチック製段ボール板１を筒状に湾曲させた状態で説明すると、該プラスチック製段ボール板１の長手方向に沿った一方の端縁部１１ａの内周面における上下端部に雄型貼り合せファスナー１２，１２を取着し、同じくその長手方向に沿った他方の端縁部１１ｂの外周面における上下端部に前記各雄型貼り合せファスナー１２，１２に対応位置させて雌型貼り合せファスナー１３，１３が取着される。そして、これら雌・雄型貼り合せファスナー１２，１３を貼り合わせ、両端縁部１１ａ，１１ｂを接続することにより筒状体６が形成される。
【００２１】
前記収納補助具も前記本実施の形態に係る収納補助具と同様に使用できる。このように、プラスチック製段ボール板１の両端縁部１１ａ，１１ｂを着脱自在に接続するようにしたのは、例えば製造工場から出荷するにプラチック製段ボール板１を長方形状に展開した状態で積み重ねて梱包するようにすれば、減容が図られ輸送効率が良いばかりか輸送コストも低廉になし得るためである。また、該プラスチック製段ボール板１は、敷物としてのシートに用いることもでき便利である。
【００２２】
図７に示す収納補助具は、筒状体６における環状の上下両端縁全体にその長手方向と直交する断面形状が略コ字状の保護カバー１４を嵌着したものである。該保護カバー１４は、軟質の合成樹脂材からなる。筒状体６における上下両端縁は単にプラスチック製段ボール板１を裁断したにすぎず、内側・外側のシート２ａ，２ｂの上下両端縁はかみそりのように鋭い。このため、プラスチック製段ボール板１が合成樹脂材により形成されているとしても、その端縁に触れて手を切るなど怪我をする危険性があるので、その危険性を防止するようにしている。また、内側・外側のシート２ａ，２ｂ間、すなわち各空洞部４，４ａの両端が密閉される。これにより、内部に水が浸入することがなく清潔に扱え、特に台所で使用される生ごみを入れるごみ袋への収納補助具として便利である。この保護カバー１４は、前記他の実施の形態に係る着脱自在の収納補助具や後記する他の実施の形態に係る収納補助具にも使用できる。
【００２３】
また、図８に示す収納補助具は、前記のように筒状体６両端の開口５，５の周縁に保護カバー１４を嵌着することなく、筒状体６の上下両端縁全体を直接熱融着により封止するようにしたものである。すなわち、図８に示すように内側のシート２ａと外側のシート２ｂとの上下両端縁を互いに弧状に湾曲させて接近させ、これらが接触した状態で熱融着することにより熱融着部１５を形成している。これにより、内側・外側のシート２ａ，２ｂ間、すなわち各空洞部４，４ａの両端が密閉される。この場合も、使用上の安全性が確保されるばかりか内部に水が浸入することもなく清潔に扱える。
【００２４】
図９（イ）は他の実施の形態に係るプラスチック製段ボール板の一部拡大端面図、図９（ロ）は該プラスチック製段ボール板を用いた収納補助具の一部拡大斜視図である。この実施の形態に係るプラスチック製段ボール板１Ａにあっては、その一側面、この場合は筒状体６における外側のシート２（２ｂ）、にその周方向に沿い所定間隔寸法、すなわち連続する３個の空洞部４，４，４を合わせた間隔寸法、離して位置する各空洞部４ａに対応してそれら長手方向に沿って窪む凹窪溝７Ａが設けられる。該各凹窪溝７Ａはその長手方向に対して直交する断面形状がＶ字状をなし、これら凹窪溝７Ａの最深部位７Ａａがこれと対向する内側のシート２（２ａ）に接続されている。
【００２５】
このようにＶ型の凹窪溝７Ａにおける最深部位７Ａａが内側のシート２（２ａ）と一体に成形されていると、その一体に成形される最深部位７Ａａが支点となり、図９（イ）鎖線に示すようにプラスチック製段ボール板１Ａが各凹窪溝７Ａの最深部位７Ａａを支点としてその内側又は外側のいずれにも簡単に曲げられるようになる。よって、筒状体６を形成する場合、凹窪溝７Ａが該筒状体６の内周面６ａに現れるようにするか、逆に外周面６ｂに現れるようにするか自在に選択できる。このようにして形成された収納補助具も、前記本実施の形態に係る収納補助具と同様に使用できる。よって、例えば長方形状に展開されたプラスチック製段ボール板１Ａから筒状体６を形成する場合、該プラスチック製ダンボール板１Ａを内側・外側のどちらに曲げるか考慮しなくても良いから、その組立作業が簡単に行なえる。
【００２６】
以上のように、本発明に係る収納補助具は、プラスチック製段ボール板１，１Ａから成形され構造や形成が簡単であり、凹窪溝７，７Ａに沿って屈曲させることによりコンパクトに折り畳め、嵩張ることがなく軽量であることから、輸送、保管時に便利であるばかりか製造コストや輸送コストも低廉になし得る。しかも、本発明に係る収納補助具は、コンパクトに折り畳めることからゴミ袋等の袋中に挿入し易く、一人でも簡単に設定でき極めて使い勝手が良い。
【００２７】
また、この収納補助具は、ごみ袋９から抜き出した後、一定の期間繰り返して使用でき経済的である。しかも、ごみ袋９をごみ箱のように自立させられるので、ごみ箱に代わる物として事業所や室内、或いは屋外などに置くことにより環境美化に役立たせることができる。
【符号の説明】
【００２８】
１            プラスチック製段ボール板
１Ａ          プラスチック製段ボール板
２（２ａ）    内側のシート
２（２ｂ）    外側のシート
３            リブ
４            空洞部
４ａ          空洞部
６            筒状体
７            凹窪溝
７Ａ          凹窪溝
７ａ          最深部位
７Ａａ        最深部位
９            袋（ごみ袋）
【図１】
0005451420.tif 000002
【図２】
0005451420.tif 000003
【図３】
0005451420.tif 000004
【図４】
0005451420.tif 000005
【図５】
0005451420.tif 000006
【図６】
0005451420.tif 000007
【図７】
0005451420.tif 000008
【図８】
0005451420.tif 000009
【図９】
0005451420.tif 000010